(57)【特許請求の範囲】
【請求項１】
キャップ、筒状胴部、肩部を有し、キャップと螺着する取出し口部の外周がネジ部で構成されている押し出しチューブ容器にあって、該ネジ部及び肩部に凹状の溝を設け、当該凹状の溝と９０度回転方向の該ネジ山部を一部平坦することを特徴とするチューブ容器。
【発明の詳細な説明】
【技術分野】
【０００１】
本発明は、チューブ容器に関し、更に詳しくは、内容物の使い切り性を向上し、内容物のチューブ内残量を低減することを目的としたチューブ容器に関する。
【背景技術】
【０００２】
従来より、クリーム状やジェル状の化粧料を内容物とするチューブ容器は、種々の形態が使用されている。これらのチューブ容器は、キャップ、キャップが螺着される取出し口部を有する円錐状をした肩部を有した筒状胴部からなる。そして、内容物を充填した後、該筒状胴部の取出し口部のもう一端が密封され、筒状胴部を押圧することにより、取出し口部より内容物が取出される。このような構成のチューブ容器にあっては、内容物を完全に使い切ることは困難で、肩部や取出し口部に内容物が残存するという問題があった。
【０００３】
このような問題を解消すべく種々の検討がなされている。例えば、円錐状肩部の連続する筒状胴部の周囲に凹状の溝を設けることにより内容物の押出し性を向上させ、内容物の残量を低減させたチューブ容器（特許文献１）や筒状胴部を２層にし、押しやすい位置の空気孔を設け、内容物を加圧することが可能にしたチューブ容器（特許文献２）などが提案されている。
【０００４】
しかしながら、上記のタイプのチューブ容器では、取出し口部に内容物が残存したり、チューブ容器自体のコストが上昇するという問題やデザイン面に制限を生じるという問題が発生しているため、化粧料容器として採用することが難しいという問題点が発生している。
【特許文献１】特開２００４−４３０２９号公報
【特許文献２】特開平１１−３１４６５５号公報
【発明の開示】
【発明が解決しようとする課題】
【０００５】
解決しようとする課題は、デザイン面に制限が無く、内容物の使い切り性を向上し、内容物のチューブ内残量を低減し、内容物の使い切りに際し、容易に内容物の取出しが可能なチューブ容器の提供である。
【課題を解決するための手段】
【０００６】
上記課題を解決するため、発明者は鋭意検討を重ねた結果、キャップ、筒状胴部、肩部を有し、キャップと螺着する取出し口部の外周がネジ部で構成されている押し出しチューブ容器にあって、該ネジ部及び肩部に凹状の溝を設けることにより、内容物の使い切りに際し、取出し口部及び肩部の変形を容易にし、これにより取出し口部及び肩部の残存する内容物が容易に取出せることを見出し、本発明を完成するに至った。
【０００７】
即ち、本発明のチューブ容器は、取出し口部の外周がネジ部及び肩部に凹状の溝を設けることにより、取出し口部及び肩部の変形を容易にし、指圧により取出し口部及び肩部を扁平等に押し潰すことを可能とし、取出し口部及び肩部に残存する内容物を極力低減させたものである。
【発明の効果】
【０００８】
本発明のチューブ容器は、取出し口部及び肩部の変形を容易にし、指圧により取出し口部及び肩部を扁平等に押し潰すことを可能とし、取出し口部及び肩部に残存する内容物を極力低減させる効果に加え、従来のチューブ容器と比較してもデザイン上の制約も少なくコストの上昇ないことから、容易に化粧料容器としての応用が可能となる。
【発明を実施するための最良の形態】
【０００９】
本発明のチューブ容器に用いることができる材質は、取出し口部の外周がネジ部及び肩部に凹状の溝を設けることが可能であれば特に制限はないが、成形性に優れた樹脂化合物が好ましく、中でも、ポリエチレン（ＰＥ）やポリプロピレン（ＰＰ）、塩化ビニル及びそれらを組合せた多層が好ましい。
【００１０】
本発明のチューブ容器に設けることができる凹状の溝形状は、凹状であればその形状に制限は無く、指圧等によって当該チューブ容器の取出し口部及び肩部が変形し、該取出し口部及び肩部が扁平状になり、該取出し口部及び肩部の内容空間が減少し、そこに存在する内容物が無くなるようであれば良い。例えば、Ｖ字及びＵ字状の形状を用いることも可能である。
【００１１】
本発明のチューブ容器に設けることができる凹状の溝の大きさは、指圧等によって当該チューブ容器の取出し口部及び肩部が変形し、該取出し口部及び肩部が扁平状になり、該取出し口部及び肩部の内部空間が減少し、チューブの成形上及びデザイン上の制約が無い場合において特に制限はないが、当該溝の幅に関して、当該チューブの肩部直径の１／１０〜１／３０が好ましく、０．５ｍｍ以上であることが好ましい。また、当該チューブの取出し口部に関しては、該取出し口部直径の１／５〜１／２０が好ましく、０．５ｍｍ以上であることが好ましい。また、当該溝の深さは、当該チューブの肩部においては０．５〜２ｍｍが好ましく、当該チューブの取出し口部においては、ネジ部のネジ谷からネジ山の高さまでが好ましい。
【００１２】
本発明のチューブ容器に設けることができるネジ部に凹状の溝と９０度回転両方向の該ネジ部平坦部は、各ネジ山に対してネジ山頂部に平行して、ネジ谷最低部まで拡大することが可能である。
【実施例】
【００１３】
以下、実施例を挙げて本発明を具体的に説明する。なお、本発明はこれに限定されるものではない。
【００１４】
図１には、従来のチューブ容器の平面図及び側面図を示す。
【００１５】
図２には、本発明のチューブ容器の平面図及び側面図を示す。
【００１６】
図３には、本発明のチューブ容器の斜視図を示す。
【００１７】
図４には、本発明のチューブ容器の斜視図を示す。
【００１８】
図５には、従来のチューブ容器を最後まで使用した状態の側面図を示す。
【００１９】
図６には、本発明のチューブ容器を取出し口部のネジ部設けた平坦部を指圧し、肩部の凹状溝部を挟み、肩部を指圧して取出し口部及び肩部を押し潰した状態の側面図を示す。
【００２０】
図７には、本発明のチューブ容器を図６の状態を更に肩部を指圧し、肩部の突き出た部分をチューブ筒状胴部に密着するように押し潰し、取出し口部及び肩部の空間を無くした状態を表す側面図を示す。
【００２１】
図８には、図７に示す本発明のチューブ容器の斜視図を示す。
【００２２】
図９には、本発明のチューブ容器にキャップを装着した状態を表す斜視図を示す。
【００２３】
図１０には、本発明のチューブ容器にキャップを装着した状態で、取出し口部の肩部に付け根部より引きちぎった状態を表した説明図を示す。
【００２４】
本発明のチューブ容器は、図２及び図９に示すとおり、外観上従来のチューブ容器と殆ど同様の形状をしているため、デザイン上の制約は生じない。
【００２５】
本発明のチューブ容器は、図３に示したように取出し口部のネジ部に平坦部（２ｂ）及び凹状の溝部（２ａ）を設けることにより、取出し口部を指圧し、取出し口部に残存する充填物を排出することを容易にしている。そして、肩部に設けた凹状の溝部（１ａ）が肩部の変形を容易にし、肩部を扁平状に押し潰すことを可能とし、結果として肩部の内部空間を殆どゼロ状態にするため、取出し口部及び肩部に残存する充填物はゼロに近い状態となる。これは、図５に示すように従来のチューブ容器の取出し口部及び肩部に内空間が存在すること比べると明白である。
【００２６】
本発明のチューブ容器は、図４に示すように肩部に設けた凹状の溝部（１ａ）を複数設けることが可能である。
【００２７】
本発明のチューブ容器（取出し口部の口内径：７ｍｍ，該取出し口部の長さ：１０ｍｍ，肩部に高さ：７ｍｍ，筒状胴部の内径：４０ｍｍ）に、ジェル状化粧料を８０ｇ充填し、最後まで使用し、上記の要領で取出し口部及び肩部を潰し、充填物の残量を同型の従来チューブ容器と比較した場合、４．５ｇ本発明のチューブ容器の方が少なかった。これは、充填料に対して、５．６％に相当する量の差が生じたことになり、理論上の空間充填量５．１ｇに対して１１．８％の残存量になり、殆ど充填物が排出されたと言える。
【００２８】
本発明のチューブ容器は、充填物が硬い場合には取出し口及び肩部を指圧し変形させて、取出し口及び肩部に残存する充填物が取出し難い場合があるため、図９及び図１０に示すように、キャップと取出し口部を装着した状態でキャップに肩部に設けた片方の凹状溝部にそってキャップと肩部を引き離すように外力を加えることにより、取出し口部を肩部より引きちぎることが容易にでき、肩部に残存する充填物を容易に取出すことが可能となる。
【産業上の利用可能性】
【００２９】
本発明のチューブ容器は、充填物の残存量が少量になるため、エコロジー及びコスト面での効果が期待でき、化粧料容器として広く応用が期待できる。
【図面の簡単な説明】
【００３０】
【図１】従来のチューブ容器の平面図及び側面図。
【図２】本発明のチューブ容器の平面図及び側面図。
【図３】本発明のチューブ容器の斜視図。
【図４】本発明のチューブ容器の斜視図。
【図５】従来のチューブ容器を最後まで使用した状態の側面図。
【図６】本発明のチューブ容器を取出し口部のネジ部設けた平坦部を指圧し、肩部の凹状溝部を挟み、肩部を指圧して取出し口部及び肩部を押し潰した状態の側面図。
【図７】本発明のチューブ容器を図６の状態を更に肩部を指圧し、肩部の突き出た部分をチューブ筒状胴部に密着するように押し潰し、取出し口部及び肩部の空間を無くした状態を表す側面図。
【図８】図７に示す本発明のチューブ容器の斜視図。
【図９】本発明のチューブ容器にキャップを装着した状態を表す斜視図。
【図１０】本発明のチューブ容器にキャップを装着した状態で、取出し口部の肩部に付け根部より引きちぎった状態を表した説明図。
【符号の説明】
【００３１】
１    肩部
１ａ  凹状溝部
２    取出し口部
２ａ  凹状溝部
２ｂ  ネジ部平坦部
２ｃ  取出し口部の肩部付け根部
３    抽出口
４    筒状胴部
５    キャップ
【図５】
0004741917.tif 000002
【図６】
0004741917.tif 000003
【図７】
0004741917.tif 000004
【図１】
0004741917.tif 000005
【図２】
0004741917.tif 000006
【図３】
0004741917.tif 000007
【図４】
0004741917.tif 000008
【図８】
0004741917.tif 000009
【図９】
0004741917.tif 000010
【図１０】
0004741917.tif 000011